(57)【要約】【課題】  照明装置の照射方向をユーザにわかりやすく報知する。【解決手段】  第１の筐体と、光源を備え、前記第１の筐体に対して回動可能な第２の筐体と、前記第１の筐体に対して、前記第２の筐体を第１の軸を中心とした第１の方向及び前記第１の軸と直交する第２の軸を中心とした第２の方向に回動させる駆動手段と、前記光源からの光の照射方向に関する情報を表示部に表示させる表示制御手段と、を有し、前記表示制御手段は、前記第２の筐体の前記第２の方向への回動角度に応じて、前記表示部に表示させる前記照射方向に関する情報に含まれる前記第１の方向に関する情報を変更する。【選択図】  図４
2018010246.tif 000002
【特許請求の範囲】
【請求項１】
第１の筐体と、
光源を備え、前記第１の筐体に対して回動可能な第２の筐体と、
前記第１の筐体に対して、前記第２の筐体を第１の軸を中心とした第１の方向及び前記第１の軸と直交する第２の軸を中心とした第２の方向に回動させる駆動手段と、
前記光源からの光の照射方向に関する情報を表示部に表示させる表示制御手段と、を有し、
前記表示制御手段は、前記第２の筐体の前記第２の方向への回動角度に応じて、前記表示部に表示させる前記照射方向に関する情報に含まれる前記第１の方向に関する情報を変更することを特徴とする照明装置。
【請求項２】
前記表示制御手段は、前記第２の筐体の前記第２の方向への回動角度が互いに重複しない第１の範囲と第２の範囲のいずれに含まれるかに応じて、前記第１の方向に関する情報を変更することを特徴とする請求項１に記載の照明装置。
【請求項３】
第１の筐体と、
光源を備え、前記第１の筐体に対して回動可能な第２の筐体と、
前記第１の筐体に対して、前記第２の筐体を第１の軸を中心とした第１の方向及び前記第１の軸と直交する第２の軸を中心とした第２の方向に回動させる駆動手段と、
前記光源からの光の照射方向に関する情報を表示部に表示させる表示制御手段と、を有し、
前記表示制御手段は、前記駆動手段により前記第２の筐体を回動させたか否かに応じて、前記表示部に表示させる前記照射方向に関する情報を変更することを特徴とする照明装置。
【請求項４】
第１の筐体と、
光源を備え、前記第１の筐体に対して回動可能な第２の筐体と、
前記第１の筐体に対して、前記第２の筐体を第１の軸を中心とした第１の方向及び前記第１の軸と直交する第２の軸を中心とした第２の方向に回動させる駆動手段と、
前記光源からの光の照射方向に関する情報を表示部に表示させる表示制御手段と、
前記駆動手段により前記第２の筐体を回動させるときの回動可能範囲を制限する制限手段と、を有し、
前記表示制御手段は、前記制限手段により前記回動可能範囲が制限されているか否かに応じて、前記表示部に表示させる前記照射方向に関する情報を変更することを特徴とする照明装置。
【請求項５】
第１の筐体と、
光源を備え、前記第１の筐体に対して回動可能な第２の筐体と、
前記第１の筐体に対して、前記第２の筐体を第１の軸を中心とした第１の方向及び前記第１の軸と直交する第２の軸を中心とした第２の方向に回動させる駆動手段と、
前記光源からの光の照射方向に関する情報を表示部に表示させる表示制御手段と、
前記第２の筐体を回動させて取得した複数の情報に基づいて前記照射方向を算出する算出手段と、
動作モードを設定する設定手段と、を有し、
前記表示制御手段は、前記設定手段により設定された動作モードが、前記算出手段により前記照射方向を算出させる第１の動作モードのときと前記算出手段により前記照射方向を算出させない第２の動作モードときとで、前記表示部に表示させる前記照射方向に関する情報を変更することを特徴とする照明装置。
【請求項６】
前記表示制御手段は、前記表示部に表示させる前記照射方向に関する情報を、前記第２の筐体が基準位置にあるときの前記光源の照射光軸に対する現在の前記光源の照射光軸の角度差を示す情報と、前記第２の筐体の前記基準位置との角度差を示す情報とで、変更することを特徴とする請求項１ないし５のいずれか１項に記載の照明装置。
【請求項７】
前記表示部に表示させる前記照射方向に関する情報を、前記表示部を有する表示装置へ送信する送信手段と、を有することを特徴とする照明装置。
【請求項８】
第１の筐体と、光源を備え前記第１の筐体に対して回動可能な第２の筐体と、前記第１の筐体に対して、前記第２の筐体を第１の軸を中心とした第１の方向及び前記第１の軸と直交する第２の軸を中心とした第２の方向に回動させる駆動手段と、を有する照明装置を用いた撮影が可能な撮像装置であって、
前記光源からの光の照射方向に関する情報を表示部に表示させる表示制御手段を有し、
前記表示制御手段は、前記第２の筐体の前記第２の方向への回動角度に応じて、前記表示部に表示させる前記照射方向に関する情報に含まれる前記第１の方向に関する情報を変更することを特徴とする撮像装置。
【請求項９】
第１の筐体と、光源を備え前記第１の筐体に対して回動可能な第２の筐体と、前記第１の筐体に対して、前記第２の筐体を第１の軸を中心とした第１の方向及び前記第１の軸と直交する第２の軸を中心とした第２の方向に回動させる駆動手段と、を有する照明装置を用いた撮影が可能な撮像装置であって、
前記光源からの光の照射方向に関する情報を表示部に表示させる表示制御手段を有し、
前記表示制御手段は、前記駆動手段により前記第２の筐体を回動させたか否かに応じて、前記表示部に表示させる前記照射方向に関する情報を変更することを特徴とする撮像装置。
【請求項１０】
第１の筐体と、光源を備え前記第１の筐体に対して回動可能な第２の筐体と、前記第１の筐体に対して、前記第２の筐体を第１の軸を中心とした第１の方向及び前記第１の軸と直交する第２の軸を中心とした第２の方向に回動させる駆動手段と、前記駆動手段により前記第２の筐体を回動させるときの回動可能範囲を制限する制限手段と、を有する照明装置を用いた撮影が可能な撮像装置であって、
前記光源からの光の照射方向に関する情報を表示部に表示させる表示制御手段を有し、
前記表示制御手段は、前記制限手段により前記回動可能範囲が制限されているか否かに応じて、前記表示部に表示させる前記照射方向に関する情報を変更することを特徴とする撮像装置。
【請求項１１】
第１の筐体と、光源を備え前記第１の筐体に対して回動可能な第２の筐体と、前記第１の筐体に対して、前記第２の筐体を第１の軸を中心とした第１の方向及び前記第１の軸と直交する第２の軸を中心とした第２の方向に回動させる駆動手段と、前記第２の筐体を回動させて取得した複数の情報に基づいて前記照射方向を算出する算出手段と、動作モードを設定する設定手段と、を有する照明装置を用いた撮影が可能な撮像装置であって、
前記光源からの光の照射方向に関する情報を表示部に表示させる表示制御手段を有し、
前記表示制御手段は、前記設定手段により設定された動作モードが、前記算出手段により前記照射方向を算出させる第１の動作モードのときと前記算出手段により前記照射方向を算出させない第２の動作モードときとで、前記表示部に表示させる前記照射方向に関する情報を変更することを特徴とする撮像装置。
【請求項１２】
第１の筐体と、光源を備え前記第１の筐体に対して回動可能な第２の筐体と、前記第１の筐体に対して、前記第２の筐体を第１の軸を中心とした第１の方向及び前記第１の軸と直交する第２の軸を中心とした第２の方向に回動させる駆動手段と、を有する照明装置の制御方法であって、
前記光源からの光の照射方向に関する情報を表示部に表示させる表示制御ステップを有し、
前記表示制御ステップは、前記第２の筐体の前記第２の方向への回動角度に応じて、前記表示部に表示させる前記照射方向に関する情報に含まれる前記第１の方向に関する情報を変更することを特徴とする制御方法。
【請求項１３】
第１の筐体と、光源を備え前記第１の筐体に対して回動可能な第２の筐体と、前記第１の筐体に対して、前記第２の筐体を第１の軸を中心とした第１の方向及び前記第１の軸と直交する第２の軸を中心とした第２の方向に回動させる駆動手段と、を有する照明装置の制御方法であって、
前記光源からの光の照射方向に関する情報を表示部に表示させる表示制御ステップを有し、
前記表示制御ステップは、前記駆動手段により前記第２の筐体を回動させたか否かに応じて、前記表示部に表示させる前記照射方向に関する情報を変更することを特徴とする制御方法。
【請求項１４】
第１の筐体と、光源を備え前記第１の筐体に対して回動可能な第２の筐体と、前記第１の筐体に対して、前記第２の筐体を第１の軸を中心とした第１の方向及び前記第１の軸と直交する第２の軸を中心とした第２の方向に回動させる駆動手段と、前記駆動手段により前記第２の筐体を回動させるときの回動可能範囲を制限する制限手段と、を有する照明装置の制御方法であって、
前記光源からの光の照射方向に関する情報を表示部に表示させる表示制御ステップを有し、
前記表示制御ステップは、前記制限手段により前記回動可能範囲が制限されているか否かに応じて、前記表示部に表示させる前記照射方向に関する情報を変更することを特徴とする制御方法。
【請求項１５】
第１の筐体と、光源を備え前記第１の筐体に対して回動可能な第２の筐体と、前記第１の筐体に対して、前記第２の筐体を第１の軸を中心とした第１の方向及び前記第１の軸と直交する第２の軸を中心とした第２の方向に回動させる駆動手段と、前記第２の筐体を回動させて取得した複数の情報に基づいて前記照射方向を算出する算出手段と、を有する照明装置の制御方法であって、
動作モードを設定する設定ステップと、
前記光源からの光の照射方向に関する情報を表示部に表示させる表示制御ステップを有し、
前記表示制御手段は、前記設定ステップで設定された動作モードが、前記算出手段により前記照射方向を算出させる第１の動作モードのときと前記算出手段により前記照射方向を算出させない第２の動作モードときとで、前記表示部に表示させる前記照射方向に関する情報を変更することを特徴とする制御方法。
【発明の詳細な説明】
【技術分野】
【０００１】
本発明は、照明装置の照射方向に関する情報の表示制御に関するものである。
【背景技術】
【０００２】
従来、照明装置の光を天井等に向けて照射して天井等からの拡散反射光を被写体に照射する発光撮影（以下、バウンス発光撮影とする）が知られている。バウンス発光撮影によれば、照明装置の光を直接的ではなく間接的に被写体に照射することができるため、柔らかい光での描写が可能となる。
【０００３】
そして、照明装置の照射方向を自動で変更すること（以下、オートバウンスという）が可能な照明装置の関する技術が提案されている。
【０００４】
特許文献１では、被写体との間の距離情報と、反射体との間の距離情報に基づき、バウンス照射角度を演算し、演算された照射角度に基づいて発光部を駆動させる技術が開示されている。
【先行技術文献】
【特許文献】
【０００５】
【特許文献１】特開２０１１−１７００１４号公報
【発明の概要】
【発明が解決しようとする課題】
【０００６】
しかしながら、特許文献１では、発光部の照射方向に関する情報をユーザに報知する方法についてなんら考慮されておらず、発光部の照射方向をユーザが容易に確認することができない。
【０００７】
特許文献１に記載されたストロボ装置のように、発光部が本体部に対して垂直軸及び水平軸回りに回動可能な構成では、本体部に対する発光部の相対位置が同じでも垂直軸回りの回動角度と水平軸回りの回動角度の組み合わせが異なる場合が考えられる。そのような場合には、発光部の照射方向に関する情報をユーザにわかりやすく報知することが望ましい。
【０００８】
そこで、本発明は、照明装置の照射方向をユーザにわかりやすく報知することを目的とする。
【課題を解決するための手段】
【０００９】
上記目的を達成するために、本発明に係る照明装置は、第１の筐体と、光源を備え、前記第１の筐体に対して回動可能な第２の筐体と、前記第１の筐体に対して、前記第２の筐体を第１の軸を中心とした第１の方向及び前記第１の軸と直交する第２の軸を中心とした第２の方向に回動させる駆動手段と、前記光源からの光の照射方向に関する情報を表示部に表示させる表示制御手段と、を有し、前記表示制御手段は、前記第２の筐体の前記第２の方向への回動角度に応じて、前記表示部に表示させる前記照射方向に関する情報に含まれる前記第１の方向に関する情報を変更することを特徴とする。
【００１０】
また、上記目的を達成するために、本発明に係る撮像装置は、第１の筐体と、光源を備え前記第１の筐体に対して回動可能な第２の筐体と、前記第１の筐体に対して、前記第２の筐体を第１の軸を中心とした第１の方向及び前記第１の軸と直交する第２の軸を中心とした第２の方向に回動させる駆動手段と、を有する照明装置を用いた撮影が可能な撮像装置であって、前記光源からの光の照射方向に関する情報を表示部に表示させる表示制御手段を有し、前記表示制御手段は、前記第２の筐体の前記第２の方向への回動角度に応じて、前記表示部に表示させる前記照射方向に関する情報に含まれる前記第１の方向に関する情報を変更することを特徴とする。
【００１１】
また、上記目的を達成するために、本発明に係る制御方法は、第１の筐体と、光源を備え前記第１の筐体に対して回動可能な第２の筐体と、前記第１の筐体に対して、前記第２の筐体を第１の軸を中心とした第１の方向及び前記第１の軸と直交する第２の軸を中心とした第２の方向に回動させる駆動手段と、を有する照明装置の制御方法であって、前記光源からの光の照射方向に関する情報を表示部に表示させる表示制御ステップを有し、前記表示制御ステップは、前記第２の筐体の前記第２の方向への回動角度に応じて、前記表示部に表示させる前記照射方向に関する情報に含まれる前記第１の方向に関する情報を変更することを特徴とする。
【発明の効果】
【００１２】
本発明によれば、照明装置の照射方向をユーザにわかりやすく報知することができる。
【図面の簡単な説明】
【００１３】
【図１】第１の実施形態に係る撮像システムの概略図である。
【図２】第１の実施形態に係るカメラ１００の構成を示すブロック図である。
【図３】第１の実施形態に係る外部ストロボ２００の構成を示すブロック図である。
【図４】第１の実施形態に係る外部ストロボ２００の照射方向に関する情報の表示制御のフローチャートを示す図である。
【図５】第１の実施形態に係る外部ストロボ２００の照射方向に関する情報の表示例を示す図である。
【図６】第２の実施形態に係る外部ストロボ２００の照射方向に関する情報の表示制御のフローチャートを示す図である。
【図７】第３の実施形態に係る外部ストロボ２００の照射方向に関する情報の表示制御のフローチャートを示す図である。バウンス角度表示の一例である。
【図８】第３の実施形態に係るストロボヘッド部２０２を回動させるときの回動可能範囲を設定するためのメニュー画面を示す図である。
【図９】第４の実施形態に係る外部ストロボ２００の照射方向に関する情報の表示制御のフローチャートを示す図である。
【発明を実施するための形態】
【００１４】
以下に、本発明の好ましい実施の形態を、添付の図面に基づいて詳細に説明する。
【００１５】
（第１の実施形態）
図１は、本実施形態に係る撮像システムの概略図であり、本実施形態に係る撮像システムは、撮像装置であるカメラ１００と照明装置である外部ストロボ２００とを有する。外部ストロボ２００は、カメラ１００に装着されるストロボ本体部２０１（第１の筐体）と、ストロボ本体部２０１に対して第１の軸回りの回動及び第１の軸と直交する第２の軸回りの回動が可能なストロボヘッド部２０２（第２の筐体）とを有する。ストロボ本体部２０１は、表示部２１０が設けられていて、表示部２１０には外部ストロボ２００の照射方向に関する情報を表示させることができる。ストロボヘッド部２０２は、発光部２０５が設けられていて、ストロボ本体部２０１に対してストロボヘッド部２０２を第１の軸回りや第２の軸回りに回動させることで外部ストロボ２００の照射方向を変更することができる。
【００１６】
なお、本実施形態では、カメラ１００に装着された状態における、カメラ１００のレンズ光軸と発光部２０５の照射光軸が略平行になるストロボ本体部２０１に対するストロボヘッド部２０２の位置を基準位置とする。そして、ストロボヘッド部２０２の位置が基準位置にあるときの第１の軸回りの回動角度を０°、第２の軸回りの回動角度を０°とする。また、外部ストロボ２００のストロボ本体部２０１側を下側、ストロボヘッド部２０２側を上側、ストロボ本体部２０１の表示部２１０側を背面側とする。また、ストロボ本体部２０１を背面側から見たときの左右をそれぞれ外部ストロボ２００の左側、右側とする。また、第１の軸をストロボ本体部２０１の左右方向に平行な軸、第２の軸をストロボ本体部２０１の上下方向に平行な軸、第１の軸回りの（第１の軸を中心とした）回動を上下方向の回動、第２の軸回りの（第２の軸を中心とした）回動を左右方向の回動とする。また、本実施形態では、ストロボヘッド部２０２は、ストロボ本体部２０１に対して上方向の回動角度が１４０°となるまで、左右方向にそれぞれ１８０°となるまで回動可能なようにストロボ本体部２０１に連結されている。
【００１７】
次に、図２、図３を用いて本実施形態の撮像システムの詳細を説明する。図２は、カメラ１００の構成を示すブロック図であり、図３は、外部ストロボ２００の構成を示すブロック図である。
【００１８】
まず、カメラ１００の構成について説明する。１０１は撮影シーケンスなど撮像システム全体を制御するためのカメラのマイクロコントローラ（以下、カメラＭＰＵとする）である。カメラＭＰＵ１０１は、例えば内部にＡＬＵ、ＲＯＭ、ＲＡＭやＡ／Ｄ変換器、タイマー、シリアル通信ポート（ＳＰＩ）等を内蔵したワンチップマイクロコンピュータである。
【００１９】
１０３は被写体からの光を電気信号に変換するＣＣＤやＣＭＯＳ等の撮像素子、１０２は撮像素子１０３を動作させるために必要なタイミング信号を発生するタイミング信号発生回路である。１０４は撮像素子から読み出されたアナログ画像データをデジタル画像データに変換するＡ／Ｄ変換器、１０５はメモリの読み書きやバッファメモリ１０６のリフレッシュ動作などを制御するためのメモリコントローラである。１０７はバッファメモリ１０６に蓄えられた画像データなどを表示する表示部、１０８は記録媒体との接続のためのインターフェース、１０９はメモリカードやハードディスクなどの記録媒体である。
【００２０】
モーター制御部１１０は、露出動作時にカメラＭＰＵ１０１からの信号に従って、不図示のモーターを制御することにより、不図示のミラーのアップ・ダウンやシャッターのチャージを行わせる。シャッター制御部１１１は、カメラＭＰＵ１０１からの信号に従って、不図示のシャッター先幕、シャッター後幕を走行させ、露出動作を制御する。
【００２１】
測光部１１２は、撮像領域内の複数エリアの輝度信号として、複数の測光エリアを有する測光センサ１１３からの出力をカメラＭＰＵ１０１に出力する。カメラＭＰＵ１０１はこの輝度信号を不図示のＡ／Ｄ変換器により変換を行い、露出調節のためのＡＶ（絞り値）、ＴＶ（シャッタースピード）、ＩＳＯ（感度）等の演算（測光演算）を行う。また測光部１１２は同様に、内蔵ストロボ１１９または外部ストロボ２００にて被写体へ向けて予備（プリ）発光した時の輝度信号をカメラＭＰＵ１０１に出力し、ストロボメイン発光量の演算も行う。
【００２２】
レンズ制御部１１４は、カメラＭＰＵ１０１と通信し、不図示のレンズ駆動モーター及びレンズ絞りモーターを動作させ、レンズの焦点調節と絞りを制御している。１１５は焦点検出部で、ＡＦ（オートフォーカス）のための被写体に対するデフォーカス量を検出する機能を有する。
【００２３】
１１６は姿勢検出部で、ジャイロセンサや加速度センサなどの慣性センサを用いて、重力方向とレンズ光軸を中心とした回転方向に対するカメラ１００の傾きを検出する。１１７は操作部であり、ユーザにより操作されたことを示す信号をカメラＭＰＵ１０１に送る。は、操作部１１７が検知し、カメラＭＰＵ１０１に信号を送り、カメラＭＰＵ１０１は、操作部のレリーズボタンが半押しされたという信号を受けるとＡＦや測光を開始させ、レリーズボタンが全押しされたという信号を受けると撮像を開始させる。
【００２４】
ストロボ制御部１１８は、内蔵ストロボ１１９と外部ストロボ２００に発光制御を行う。また、ストロボ制御部１１８は、内蔵ストロボ１１９と外部ストロボ２００のどちらを使用するかの切り替え制御も行う。また、カメラＭＰＵ１０１は、外部ストロボ２００との通信はストロボ制御部１１８を介して行う。
【００２５】
続いて、外部ストロボ２００の構成について説明する。
【００２６】
２０３は充電シーケンス、発光制御シーケンス、ストロボヘッド部２０２の回動角度決定など外部ストロボ２００全体を制御するためのマイクロコントローラ（以下、ストロボＭＰＵとする）である。ストロボＭＰＵ２０３は、例えば内部にＡＬＵ、ＲＯＭ、ＲＡＭやＡ／Ｄ変換器、タイマー、シリアル通信ポート（ＳＰＩ）等を内蔵したワンチップマイクロコンピュータである。
【００２７】
充電部２０４は、昇圧回路及び昇圧回路によって充電されるメインコンデンサを備えており、充電電圧をストロボＭＰＵ２０３に出力する。ストロボＭＰＵ２０３は、この充電電圧を不図示のＡ／Ｄ変換器により変換を行い、充電電圧が発光可能なレベルかどうか判定する。発光部２０５は、キセノン管やＬＥＤなどの光源を有していて、ストロボＭＰＵ２０３からの発光信号に従ってストロボ光を発光する。
【００２８】
２０６は測距用測光センサを有する測距用測光部であり、発光部２０５からストロボ光を測距対象に照射したときの反射光を測距用測光センサで受光し、受光結果である輝度信号をストロボＭＰＵ２０３に出力する。ストロボＭＰＵ２０３は、この輝度信号を不図示のＡ／Ｄ変換器により変換を行い、その変換量に基づいて測距対象距離を算出する。
【００２９】
ヘッド駆動制御部２０７は、ストロボＭＰＵ２０３からの信号に従ってモーターを制御することにより、ストロボヘッド部２０２をストロボ本体部２０１に対して上下方向や左右方向に回動させることができる。また、モーターの駆動を行わずにユーザの手動操作にてストロボヘッド部２０２を上下方向や左右方向に回動させることも可能である。また、ヘッド駆動制御部２０７は、エンコーダなどによりストロボヘッド部２０２の上下方向と左右方向の駆動量を検出し、ストロボＭＰＵ２０３に出力する。なお、本実施形態では、前述した基準位置（上下方向０°、左右方向０°）からの回動角度を駆動量とする。
【００３０】
２０８は姿勢検出部で、ジャイロセンサや加速度センサなどの慣性センサを用いて、重力方向と前後方向を中心とした回転方向に対する外部ストロボ２００の傾きを検出する。
【００３１】
２０９はバウンス角度演算部であり、ストロボＭＰＵ２０３で算出された測距対象距離と姿勢検出部２０８で検出した外部ストロボ２００の傾きを示す姿勢情報とに基づいてバウンス撮影に好適な外部ストロボ２００の照射方向を算出する。なお、本実施形態では、バウンス撮影に好適な外部ストロボ２００の照射方向として、バウンス撮影に好適なストロボヘッド部２０２の回動角度を算出する。
【００３２】
２１０は表示部であり、外部ストロボ２００の照射方向を示す情報として、ヘッド駆動制御部２０７により検出されたストロボヘッド部２０２の回動角度などを表示する。２１１は操作部であり、ユーザにより操作されたことを示す信号をストロボＭＰＵ２０３に送る。ストロボＭＰＵ２０３は、操作部２１１の自動バウンス開始スイッチが押下されたことを示す信号を受けると、ストロボヘッド部２０２予め決められた回動角度へ自動で回動させる。２１２はカメラ１００との接続部であり、カメラ１００のアクセサリシューに装着させるためのシュー部材と、カメラ１００と通信を行うための信号端子を有していて、カメラ１００と外部ストロボ２００は、接続部２１２を介して通信する。
【００３３】
本実施形態では、ストロボ本体部２０１が、ストロボＭＰＵ２０３、ヘッド駆動制御部２０７、姿勢検出部２０８、バウンス角度演算部２０９、表示部２１０、操作部２１１、接続部２１２を有している。また、ストロボヘッド部２０２が、充電部２０４、発光部２０５、測距用測光部２０６を有している。しかしながら、外部ストロボ２００の構成要素をストロボ本体部２０１とストロボヘッド部２０２のどちらに設けるかは上記の例に限定されるものではない。少なくとも、ストロボ本体部２０１が接続部２１２、ストロボヘッド部２０２が発光部２０５を有していればよい。
【００３４】
次に、図４、図５を用いて本実施形態における外部ストロボ２００の照射方向に関する情報の表示制御について説明する。図４は、本実施形態における外部ストロボ２００の照射方向に関する情報の表示制御のフローチャートを示す図であり、図５は、外部ストロボ２００の照射方向に関する情報の表示例を示す図である。
【００３５】
図４に示すフローチャートは、操作部２１１の特定のボタンやスイッチが操作された場合や、カメラ１００からの外部ストロボ２００の照射方向に関する情報の表示要求を外部ストロボ２００が受信した場合に開始される。なお、図４に示すフローチャートは定期的に開始されてもよい。
【００３６】
ステップＳ３０１でストロボＭＰＵ２０３は、ヘッド駆動制御部２０７で検出されたストロボヘッド部２０２の上下方向と左右方向の回動角度を取得する。ここで取得する回動角度は、ステップＳ３０１に移行した時点で最新の情報でもよし、ステップＳ３０１に移行してから検出された情報でもよい。
【００３７】
ステップＳ３０２でストロボＭＰＵ２０３は、ステップＳ３０１で取得した左右方向の回動角度が９０°以上か否かを判定する。９０°以上である場合はステップＳ３０３へ移行し、９０°未満である場合はステップＳ３０４へ移行する。
【００３８】
ステップＳ３０３でストロボＭＰＵ２０３は、外部ストロボ２００の照射方向に関する情報として、ストロボヘッド部２０２が基準位置にあるときの発光部２０５の照射光軸に対する現在の発光部の照射光軸の角度差を表示部２１０に表示させる。
【００３９】
一方、ステップＳ３０４でストロボＭＰＵ２０３は、外部ストロボ２００の照射方向に関する情報として、ストロボヘッド部２０２の基準位置との角度差を表示部２１０に表示させる。
【００４０】
図５は、ストロボヘッド部２０２の状態に応じた外部ストロボ２００の照射方向に関する情報の表示例を示していて、表示部２１０の左側に上下方向の情報、右側に左右方向の情報を表示している。具体的には、表示部２１０の左側では角度差を数値、上方向か下方向かを矢印で示している。同様に、表示部２１０の右側では角度差を数値、左方向か右方向かを矢印で示している。また、図５（ａ）〜（ｅ）は、ストロボヘッド部２０２の基準位置との角度差を表示部２１０に表示させた例を示している。
【００４１】
図５（ａ）は、ストロボヘッド部２０２が基準位置にある状態を示している。この状態では角度差は上下方向、左右方向ともに０°であり、表示部２１０に表示される情報は角度差が上下方向、左右方向ともに０°であることを示している。
【００４２】
図５（ｂ）は、ストロボヘッド部２０２が基準位置から上方向に１２０°回動している状態を示していて、表示部２１０に表示される情報は角度差が上方向に１２０°、左右方向に０°であることを示している。
【００４３】
図５（ｃ）は、ストロボヘッド部２０２が基準位置から右方向に９０°回動している状態を示していて、角度差は上下方向に０°、右方向に９０°であり、表示部２１０に表示される情報は角度差が上下方向に０°、右方向に９０°であることを示している。
【００４４】
図５（ｄ）は、ストロボヘッド部２０２が基準位置から右方向に１８０°回動している状態を示していて、表示部２１０に表示される情報は角度差が上下方向に０°、右方向に１８０°であることを示している。
【００４５】
図５（ｅ）は、ストロボヘッド部２０２が基準位置から上方向に６０°、右方向に１８０°回動している状態を示していて、表示部２１０に表示される情報は角度差が上下方向に０°、右方向に１８０°であることを示している。
【００４６】
以上のように、ストロボヘッド部２０２の基準位置との角度差を表示部２１０に表示させた場合、図５（ｂ）と図５（ｅ）のように発光部２０５の照射光軸が同じ方向を向いていても、上下方向の角度差及び左右方向の角度差がともに異なる値になってしまう。
【００４７】
そこで、本実施形態では、図５（ｆ）〜（ｈ）に示すように、左右方向の回動角度が９０°以上の場合は、ストロボヘッド部２０２が基準位置にあるときの発光部２０５の照射光軸に対する現在の発光部の照射光軸の角度差を表示部２１０に表示させる。
【００４８】
図５（ｆ）は、図５（ｃ）と同様にストロボヘッド部２０２が基準位置から右方向に９０°回動している状態を示しているが、表示部２１０に表示される情報は角度差が上方向に１８０°、右方向に９０°であることを示している。
【００４９】
図５（ｇ）は、図５（ｄ）と同様にストロボヘッド部２０２が基準位置から右方向に１８０°回動している状態を示しているが、表示部２１０に表示される情報は角度差が上方向に１８０°、右方向に１８０°であることを示している。
【００５０】
図５（ｈ）は、図５（ｆ）と同様にストロボヘッド部２０２が基準位置から上方向に６０°、右方向に１８０°回動している状態を示しているが、表示部２１０に表示される情報は角度差が上下方向に１２０°、右方向に１８０°であることを示している。
【００５１】
以上のように、本実施形態では、左右方向の回動角度が９０°以上の場合、ストロボヘッド部２０２の上方向の回動角度α°に対して、上方向の角度差を（１８０−α）°として表示部２１０に表示させる。こうすることで、図５（ｂ）と図５（ｈ）のように発光部２０５の照射光軸が同じ方向を向く場合には、表示される上下方向の角度差は同じ値となり、ユーザが外部ストロボ２００の照射方向を容易に認識することができる。また、表示される左右方向の角度差の値は異なるため、ストロボヘッド部２０２が左右方向に回動している状態であることもユーザが容易に認識することができる。
【００５２】
なお、本実施形態では、左右方向の回動角度が９０°以上か否かに応じて、外部ストロボ２００の照射方向に関する情報に含まれる上下方向に関する情報を変更して表示させているが、左右方向の回動角度が９０°を超えるか否かに応じて変更してもよい。
【００５３】
また、本実施形態では、ストロボヘッド部２０２がストロボ本体部２０１に対して左右方向にそれぞれ１８０°回動可能な構成を説明したが、ストロボヘッド部２０２がストロボ本体部２０１に対して左右方向に３６０°回動可能な構成でもよい。そのような構成の場合、左右方向の回動角度βが０°≦β＜９０°及び２７０°＜β≦３６０°となる場合と、９０°≦β≦２７０°となる場合とで表示させる情報を変更すればよい。以上のように、左右方向の回動角度が、互いに重複しない第１の範囲と第２の範囲のいずれに含まれるかに応じて、外部ストロボ２００の照射方向に関する情報として表示させる情報を変更すればよい。なお、ストロボヘッド部２０２の左右方向の回動角度が９０°未満の場合、ストロボヘッド部２０２が基準位置にあるときの発光部２０５の照射光軸に対する現在の発光部の照射光軸の角度差と、ストロボヘッド部２０２の基準位置との角度差とは、同じ値になる。ところが、ストロボヘッド部２０２が基準位置にあるときの発光部２０５の照射光軸に対する現在の発光部の照射光軸の角度差は、ヘッド駆動制御部２０７で検出されたストロボヘッド部２０２の上下方向と左右方向の回動角度を変換して求める必要がある。そのため、ストロボヘッド部２０２の左右方向の回動角度が９０°未満の場合は、ストロボヘッド部２０２の基準位置との角度差を表示させるほうが処理負荷を小さくできて好ましい。
【００５４】
（第２の実施形態）
次に、第２の実施形態について図６を用いて説明する。図６は、本実施形態における外部ストロボ２００の照射方向に関する情報の表示制御のフローチャートを示す図である。なお、第２の実施形態に係る撮像システムは、第１の実施形態に係る撮像システムと同様であるため説明は省略する。
【００５５】
本実施形態では、ストロボヘッド部２０２の回動がヘッド駆動制御部２０７によるものなのかユーザの手動操作によるものなのかに応じて、外部ストロボ２００の照射方向に関する情報として表示させる情報を変更する。なお、図６に示すフローチャートは、操作部２１１の特定のボタンやスイッチが操作された場合や、カメラ１００からの外部ストロボ２００の照射方向に関する情報の表示要求を外部ストロボ２００が受信した場合に開始される。また、図６に示すフローチャートは定期的に開始されてもよい。
【００５６】
ステップＳ４０１でストロボＭＰＵ２０３は、ヘッド駆動制御部２０７で検出されたストロボヘッド部２０２の上下方向と左右方向の回動角度を取得する。ここで取得する回動角度は、ステップＳ４０１に移行した時点で最新の情報でもよいし、ステップＳ４０１に移行してから検出された情報でもよい。
【００５７】
ステップＳ４０２でストロボＭＰＵ２０３は、ヘッド駆動制御部２０７によりストロボヘッド部２０２を回動させた否かを判定する。ヘッド駆動制御部２０７によりストロボヘッド部２０２を回動させた場合はステップＳ４０３へ移行し、ヘッド駆動制御部２０７によりストロボヘッド部２０２を回動させていない場合はステップＳ４０４へ移行する。
【００５８】
ステップＳ４０３でストロボＭＰＵ２０３は、外部ストロボ２００の照射方向に関する情報として、ストロボヘッド部２０２が基準位置にあるときの発光部２０５の照射光軸に対する現在の発光部の照射光軸の角度差を表示部２１０に表示させる。
【００５９】
一方、ステップＳ４０４でストロボＭＰＵ２０３は、外部ストロボ２００の照射方向に関する情報として、ストロボヘッド部２０２の基準位置との角度差を表示部２１０に表示させる。
【００６０】
ステップＳ４０３及びステップＳ４０４それぞれにおける表示の仕方は、図４のステップＳ３０３及びステップＳ３０４と同様であるため説明は省略する。
【００６１】
以上のように、本実施形態では、ヘッド駆動制御部２０７によりストロボヘッド部２０２を回動させたか否かに応じて、外部ストロボ２００の照射方向に関する情報として表示させる情報を変更している。ヘッド駆動制御部２０７によりストロボヘッド部２０２を回動させた場合、左右方向の角度差によらず表示される上下方向の角度差は同じ値となり、ユーザが外部ストロボ２００の照射方向を容易に認識することができる。一方、ヘッド駆動制御部２０７によりストロボヘッド部２０２を回動させていない場合、ストロボヘッド部２０２の基準位置との角度差を表示させるので、ユーザがどこまで回動させられるかを確認しながらストロボヘッド部２０２を回動させることができる。
【００６２】
なお、ヘッド駆動制御部２０７によりストロボヘッド部２０２を回動させていない場合であっても、現在の位置にヘッド駆動制御部２０７によりストロボヘッド部２０２を回動させたのであれば、表示させる情報は維持させることが望ましい。すなわち、ヘッド駆動制御部２０７によりストロボヘッド部２０２を回動させた後の回動していない期間は、ストロボヘッド部２０２が基準位置にあるときの発光部２０５の照射光軸に対する現在の発光部の照射光軸の角度差を表示部２１０に表示させるのがよい。
【００６３】
（第３の実施形態）
次に、第３の実施形態について図７、図８を用いて説明する。図７は、本実施形態における外部ストロボ２００の照射方向に関する情報の表示制御のフローチャートを示す図である。図８は、ヘッド駆動制御部２０７によりストロボヘッド部２０２を回動させるときの回動可能範囲を設定するためのメニュー画面を示す図である。なお、第３の実施形態に係る撮像システムは、第１の実施形態に係る撮像システムと同様であるため説明は省略する。
【００６４】
本実施形態では、ヘッド駆動制御部２０７によりストロボヘッド部２０２を回動させるときの回動可能範囲が制限されているか否かに応じて、外部ストロボ２００の照射方向に関する情報として表示させる情報を変更する。なお、図７に示すフローチャートは、操作部２１１の特定のボタンやスイッチが操作された場合や、カメラ１００からの外部ストロボ２００の照射方向に関する情報の表示要求を外部ストロボ２００が受信した場合に開始される。また、図７に示すフローチャートは定期的に開始されてもよい。
【００６５】
ステップＳ５０１でストロボＭＰＵ２０３は、ヘッド駆動制御部２０７で検出されたストロボヘッド部２０２の上下方向と左右方向の回動角度を取得する。ここで取得する回動角度は、ステップＳ５０１に移行した時点で最新の情報でもよいし、ステップＳ５０１に移行してから検出された情報でもよい。
【００６６】
ステップＳ５０２でストロボＭＰＵ２０３は、ストロボヘッド部２０２を回動させるときの回動可能範囲が制限されているか否かを判定する。ストロボヘッド部２０２を回動させるときの回動可能範囲は、操作部２１１のメニューボタンが操作されると表示部２１０に表示されるメニュー画面（図８）において、操作部２１１の選択ボタン及び決定ボタンが操作されることで設定される。本実施形態では、図８に示すように、ストロボヘッド部２０２が基準位置にあるときの発光部２０５の照射光軸に対する現在の発光部の照射光軸の角度差が１２０°を超えないように回動可能範囲を制限するか制限しないかを選択可能である。なお、回動可能範囲の制限は、ヘッド駆動制御部２０７によりストロボヘッド部２０２を回動させるときに発光部２０５の照射方向が背面側に向きすぎないようにするためのものである。例えば、バウンス角度演算部２０９の算出結果が、ストロボヘッド部２０２が基準位置にあるときの発光部２０５の照射光軸に対する現在の発光部の照射光軸の角度差が上方向に１４０°、右方向に１００°となったとする。この場合、回動可能範囲を１２０°に制限していれば、ストロボヘッド部２０２が基準位置にあるときの発光部２０５の照射光軸に対する現在の発光部の照射光軸の上方向の角度差が１２０°となる位置に回動される。このように、ストロボＭＰＵ２０３とヘッド駆動制御部２０７とによって回動可能範囲は制限される。
【００６７】
回動可能範囲が制限されている場合はステップＳ５０３へ移行し、回動可能範囲が制限されていない場合はステップＳ５０４へ移行する。
【００６８】
ステップＳ５０３でストロボＭＰＵ２０３は、外部ストロボ２００の照射方向に関する情報として、ストロボヘッド部２０２が基準位置にあるときの発光部２０５の照射光軸に対する現在の発光部の照射光軸の角度差を表示部２１０に表示させる。
【００６９】
一方、ステップＳ５０４でストロボＭＰＵ２０３は、外部ストロボ２００の照射方向に関する情報として、ストロボヘッド部２０２の基準位置との角度差を表示部２１０に表示させる。
【００７０】
ステップＳ５０３及びステップＳ５０４それぞれにおける表示の仕方は、図４のステップＳ３０３及びステップＳ３０４と同様であるため説明は省略する。
【００７１】
以上のように、本実施形態では、ヘッド駆動制御部２０７によりストロボヘッド部２０２を回動させるときの回動可能範囲が制限されているか否かに応じて、外部ストロボ２００の照射方向に関する情報として表示させる情報を変更している。回動可能範囲が制限されている場合、回動可能範囲の制限に用いる情報と同じ情報を表示させることで、回動可能範囲と照射方向との関係をユーザが容易に認識することができる。
【００７２】
（第４の実施形態）
次に、第４の実施形態について図９を用いて説明する。図９は、本実施形態における外部ストロボ２００の照射方向に関する情報の表示制御のフローチャートを示す図である。なお、第４の実施形態に係る撮像システムは、第１の実施形態に係る撮像システムと同様であるため説明は省略する。
【００７３】
本実施形態では、バウンス角度演算部２０９によりバウンス撮影に好適な外部ストロボ２００の照射方向を算出させるモードであるか否かに応じて、外部ストロボ２００の照射方向に関する情報として表示させる情報を変更する。なお、図９に示すフローチャートは、操作部２１１の特定のボタンやスイッチが操作された場合や、カメラ１００からの外部ストロボ２００の照射方向に関する情報の表示要求を外部ストロボ２００が受信した場合に開始される。また、図９に示すフローチャートは定期的に開始されてもよい。
【００７４】
ステップＳ６０１でストロボＭＰＵ２０３は、ヘッド駆動制御部２０７で検出されたストロボヘッド部２０２の上下方向と左右方向の回動角度を取得する。ここで取得する回動角度は、ステップＳ６０１に移行した時点で最新の情報でもよいし、ステップＳ６０１に移行してから検出された情報でもよい。
【００７５】
ステップＳ６０２でストロボＭＰＵ２０３は、バウンス角度演算部２０９によりバウンス撮影に好適な外部ストロボ２００の照射方向を算出させるモード（以下、第１の動作モードとする）であるか否かを判定する。本実施形態における外部ストロボ２００は、動作モードとして前述した第１の駆動モードとバウンス角度演算部２０９によりバウンス撮影に好適な外部ストロボ２００の照射方向を算出させないモード（以下、第２の動作モード）とが設定可能である。動作モードは、操作部２１１のメニューボタンが操作されると表示部２１０に表示される不図示のメニュー画面において、操作部２１１の選択ボタン及び決定ボタンが操作されることでストロボＭＰＵ２０３により設定される。第１の動作モードは、バウンス角度演算部２０９によりバウンス撮影に好適な外部ストロボ２００の照射方向を算出させ、算出された照射方向となるようにヘッド駆動制御部２０７によりストロボヘッド部２０２を回動させることができるモードである。そのため、第１の動作モードが設定されているときは、バウンス撮影に好適な外部ストロボ２００の照射方向となるように自動的に外部ストロボ２００の照射方向を調整でき、ユーザは容易に好適なバウンス撮影を行うことができる。一方、第２の動作モードは、バウンス角度演算部２０９によりバウンス撮影に好適な外部ストロボ２００の照射方向を算出させず、バウンス撮影を行うときにはユーザが手動で外部ストロボ２００の照射方向を調整することになる。そのため、第２の動作モードが設定されているときは、ユーザの意図を反映させたバウンス撮影を行うことができる。
【００７６】
ステップＳ６０３でストロボＭＰＵ２０３は、外部ストロボ２００の照射方向に関する情報として、ストロボヘッド部２０２が基準位置にあるときの発光部２０５の照射光軸に対する現在の発光部の照射光軸の角度差を表示部２１０に表示させる。
【００７７】
一方、ステップＳ６０４でストロボＭＰＵ２０３は、外部ストロボ２００の照射方向に関する情報として、ストロボヘッド部２０２の基準位置との角度差を表示部２１０に表示させる。
【００７８】
ステップＳ６０３及びステップＳ６０４それぞれにおける表示の仕方は、図４のステップＳ３０３及びステップＳ３０４と同様であるため説明は省略する。
【００７９】
以上のように、本実施形態では、外部ストロボ２００の動作モードに応じて、外部ストロボ２００の照射方向に関する情報として表示させる情報を変更している。動作モードが第１の動作モードのときは、外部ストロボ２００の照射方向が自動的に調整されるモードであるため、照射方向の見やすさを優先している。具体的には、照射方向が同じときには左右方向の回動角度によらず表示される上下方向の値が等しくなるようにしている。一方、第２の動作モードのときは、ユーザがストロボヘッド部２０２を手動で回動させるときの回動させやすさを優先している。具体的には、ストロボヘッド部２０２の角度差を表示させ、ストロボヘッド部２０２の回動状態を認識しやすくしている。このように外部ストロボ２００の動作モードに応じて表示させる情報を変更することで、照明装置の照射方向をユーザにわかりやすく、かつ、ユーザによる照明装置の照射方向の調整をしやすく報知することができる。
【００８０】
なお、上記の４つの実施形態では、外部ストロボ２００の照射方向に関する情報を外部ストロボ２００の表示部２１０に表示しているが、カメラ１００の表示部１０７に表示させてもよい。その場合、カメラＭＰＵ１０１が、外部ストロボ２００からストロボヘッド部２０２の上下方向及び左右方向の回動角度の情報や第２〜４の実施形態で判断条件に用いた情報などを取得し、表示部１０７に表示させる情報を変更すればよい。あるいは、ストロボＭＰＵ２０３が表示させる情報を決定し、決定した情報をストロボＭＰＵ２０３がカメラＭＰＵ１０１に送信して、カメラＭＰＵ１０１が受信した情報を表示部１０７に表示させればよい。また、決定した情報をストロボＭＰＵ２０３が外部ストロボ２００やカメラ１００以外の表示装置（スマートフォンやタブレットなど）に公知の無線通信モジュールなどを介して送信し、表示装置の表示部に表示させるようにしてもよい。
【００８１】
また、上記の４つの実施形態では、外部ストロボ２００の照射方向に関する情報を表示する例を説明しているが、照射方向が上下方向および左右方向に変更可能な内蔵ストロボであれば、内蔵ストロボの照射方向に関する情報を表示するようにしてもよい。
【００８２】
また、上記の４つの実施形態では、外部ストロボ２００の照射方向に関する情報のうち上下方向の情報を変更する例を説明しているが、左右方向の情報を変更してもよい。例えば、ストロボヘッド部２０２の上方向の回動角度を６０°、左方向の回動角度が９０°の状態を第１の状態、上方向の回動角度が１２０°、右方向の回動角度が９０°の状態を第２の状態とする。第１の状態と第２の状態は、ストロボヘッド部２０２の回動角度は異なるが発光部２０５の照射光軸が同じ方向を向いている。そのため、ストロボヘッド部２０２が基準位置にあるときの発光部２０５の照射光軸に対する現在の発光部の照射光軸の角度差を表示させる場合は以下のように表示させる。上方向の回動角度が９０°以上の場合、ストロボヘッド部２０２の左右方向の回動角度α°に対して、角度差を（１８０−α）°として向きを左右逆転させて表示部２１０に表示させる。具体的には、第２の状態のときに、右方向を示すアイコン及び９０°という値を表示させるのではなく、左方向を示すアイコン及び９０°という値を表示させる。
【００８３】
また、ストロボヘッド部２０２が基準位置にあるときの発光部２０５の照射光軸に対する現在の発光部の照射光軸の角度差を表示させるときとストロボヘッド部２０２の基準位置との角度差を表示させるときとで、上下及び左右方向ともに情報を変更させてもよい。
【００８４】
例えば、ストロボヘッド部２０２の上方向の回動角度を１２０°、右方向の回動角度が１３５°の場合、ストロボヘッド部２０２の基準位置との角度差を表示させるときは、上方向に１２０°、右方向に１３５°となる。一方、同じ状態において、ストロボヘッド部２０２が基準位置にあるときの発光部２０５の照射光軸に対する現在の発光部の照射光軸の角度差を表示させるときは、上方向に６０°、左方向に４５°となる。
【００８５】
また、上記の４つの実施形態では、外部ストロボ２００の照射方向に関する情報を表示部に表示させる例を説明したが、スピーカなどの発音部を有し、外部ストロボ２００の照射方向に関する情報を発音部から発することでユーザに報知してもよい。
【００８６】
以上、本発明の好ましい実施形態について説明したが、本発明はこれらの実施形態に限定されず、その要旨の範囲内で種々の変形及び変更が可能である。
【００８７】
例えば、上記の実施の形態の機能を制御方法として、この制御方法を撮像装置または照明装置に実行させるようにすればよい。また、上述の実施の形態の機能を有するプログラムを制御プログラムとして、当該制御プログラムを撮像装置または照明装置が備えるコンピュータに実行させるようにしてもよい。なお、制御プログラムは、例えば、コンピュータに読み取り可能な記録媒体に記録される。
【００８８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８９】
１００  カメラ
１０１  カメラＭＰＵ
１０７  表示部
１１８  ストロボ制御部
１１９  内蔵ストロボ
２００  外部ストロボ
２０１  ストロボ本体部
２０２  ストロボヘッド部
２０３  ストロボＭＰＵ
２０７  ヘッド駆動制御部
２０８  姿勢検出部
２０９  バウンス角度演算部
２１０  表示部
２１１  操作部
２１２  接続部
【図１】
2018010246.tif 000003
【図２】
2018010246.tif 000004
【図３】
2018010246.tif 000005
【図４】
2018010246.tif 000006
【図５】
2018010246.tif 000007
【図６】
2018010246.tif 000008
【図７】
2018010246.tif 000009
【図８】
2018010246.tif 000010
【図９】
2018010246.tif 000011